(57)【要約】【課題】位置検出部の故障が生じた場合であっても、迅速な故障対応が可能な食器洗浄機を提供する。【解決手段】モード切替部１２は、位置センサ４５により洗浄槽セット状態が誤検出されている状態で、操作部５０に対して所定のモード切替操作がなされたときに、運転モードからメンテナンスモードに切り替える。運転制御部１１は、運転モードにおいて、位置センサ４５により洗浄槽セット状態が検出されていることを条件として、洗浄槽２０内を洗浄する洗浄運転を実行する。メンテナンス出力部１３は、メンテナンスモードにおいて、少なくとも故障情報を含むメンテナンス用データを出力する。【選択図】  図３
2016123508.tif 000002
【特許請求の範囲】
【請求項１】
食器が収容される洗浄槽と、
前面に開口を有し、該開口を介して前記洗浄槽が出し入れされる筐体と、
前記洗浄槽が前記筐体内の所定の洗浄位置に収納された洗浄槽セット状態を検出する位置検出部と、
前記洗浄槽が前記筐体内の前記洗浄位置に収納されているときに隠蔽される位置に配置された操作部と、
所定の第１運転モードにおいて、前記位置検出部により前記洗浄槽セット状態が検出されていることを条件として、前記洗浄槽内を洗浄する洗浄運転を実行する運転制御部と、
前記洗浄槽が前記筐体から引き出され、前記位置検出部の異常によって前記洗浄槽セット状態が誤検出されている状態で、前記操作部に対して所定の第１モード切替操作がなされたときに、前記第１運転モードからメンテナンスモードに切り替えるモード切替部と、
前記メンテナンスモードにおいて、少なくとも故障情報を含むメンテナンス用データを出力するメンテナンス出力部と
を備えたことを特徴とする食器洗浄機。
【請求項２】
請求項１に記載の食器洗浄機において、
前記運転制御部は、前記第１運転モードにおいて、前記操作部に対して前記洗浄運転の開始を指示する操作がなされた後に、前記位置検出部により前記洗浄槽セット状態が検出されていない状態から、前記位置検出部により前記洗浄槽セット状態が検出された状態に切り替わったことを条件として、前記洗浄運転を開始することを特徴とする食器洗浄機。
【請求項３】
請求項１又は請求項２に記載の食器洗浄機において、
使用者が前記洗浄槽を前記筐体から引き出すとき及び前記洗浄槽を前記筐体内に収納するときに、使用者により把持される把持部と、
前記把持部が把持されていることを検出する把持状態検出部と
を備え、
前記運転制御部は、前記第１運転モードにおいて、前記位置検出部により前記洗浄槽セット状態が検出されていない状態から、前記位置検出部により前記洗浄槽セット状態が検出された状態に切り替わり、且つ、前記把持部が把持されていることが前記把持状態検出部により検出されない状態であることを条件として、前記洗浄運転を開始することを特徴とする食器洗浄機。
【請求項４】
請求項３に記載の食器洗浄機において、
前記モード切替部は、前記操作部に対して所定の第２モード切替操作がなされたときに、第２運転モードに切り替え、
前記運転制御部は、前記第２運転モードにおいて、前記操作部に対して前記洗浄運転の開始を指示する操作がなされた後に、前記位置検出部により前記洗浄槽セット状態が検出されていない状態から、前記位置検出部により前記洗浄槽セット状態に切り替わったこと、又は、前記操作部に対して前記洗浄運転の開始を指示する操作がなされた後に、前記把持部が把持されていることが前記把持状態検出部により検出された状態から、前記把持部が把持されていることが前記把持状態検出部により検出されない状態に切り替わったことを条件として、前記洗浄運転を開始することを特徴とする食器洗浄機。
【発明の詳細な説明】
【技術分野】
【０００１】
本発明は、前面引き出し式の食器洗浄機に関する。
【背景技術】
【０００２】
従来、システムキッチン等に設置される食器洗浄機として、洗浄機本体の前面側（使用者が対面する側）に設けられた開口を介して、食器が収容される洗浄槽を水平方向にスライドさせて出し入れする構成とした、前面引き出し式の食器洗浄機が知られている（例えば、特許文献１参照）。
【０００３】
特許文献１に記載された食器洗浄機においては、システムキッチンとの一体感を向上させると共に、食器洗浄運転中のスイッチの誤操作を防止するために、使用者により操作されるスイッチ（電源スイッチ、設定スイッチ、スタートスイッチ）が、洗浄槽が収容された状態で隠蔽されるドアの上面に設けられている。また、洗浄槽が収納された状態であることを検出する収納検知部（位置検出部）が備えられている。
【０００４】
そして、位置検出部がＯＦＦ（洗浄槽が本体から引き出された状態）であるときに、使用者により電源スイッチが操作され、設定スイッチによって運転コースが選択されて、スタートスイッチが操作された後、位置検出部がＯＮ（洗浄槽が本体内に収納された状態）になったときに、食器洗浄運転を開始する構成になっている。
【０００５】
また、位置検出部がＯＮであるときに、電源スイッチやスタートスイッチが操作されたときには、位置検出部の誤検出が生じていると判断して、これらの操作を受け付けずにブザーによる異常報知を行う構成になっている。
【先行技術文献】
【特許文献】
【０００６】
【特許文献１】特開２０１４−１２４２０１号公報
【発明の概要】
【発明が解決しようとする課題】
【０００７】
本願発明者らは、特許文献１に記載された食器洗浄機の構成を採用したときに、食器洗浄機のメンテナンスを行う上で不都合な場合があることを知見した。すなわち、食器洗浄機において、メンテナンス作業者等が故障の修理を行うために、操作部の操作によって、食器洗浄機の状態を確認するためのメンテナンスモードに切り替えられるようにすることが考えられるが、この場合に、上述したように、位置検出部の故障によって操作部の操作が受け付けられなくなると、メンテナンスモードへの切替えもできなくなり、迅速な故障対応が困難になる。
【０００８】
本発明はかかる背景に鑑みてなされたものであり、位置検出部の故障が生じた場合であっても、迅速な故障対応が可能な食器洗浄機を提供することを目的とする。
【課題を解決するための手段】
【０００９】
上記目的を達成するために、本発明の食器洗浄機は、
食器が収容される洗浄槽と、
前面に開口を有し、該開口を介して前記洗浄槽が出し入れされる筐体と、
前記洗浄槽が前記筐体内の所定の洗浄位置に収納された洗浄槽セット状態を検出する位置検出部と、
前記洗浄槽が前記筐体内の前記洗浄位置に収納されているときに隠蔽される位置に配置された操作部と、
所定の第１運転モードにおいて、前記位置検出部により前記洗浄槽セット状態が検出されていることを条件として、前記洗浄槽内を洗浄する洗浄運転を実行する運転制御部と、
前記洗浄槽が前記筐体から引き出され、前記位置検出部の異常によって前記洗浄槽セット状態が誤検出されている状態で、前記操作部に対して所定の第１モード切替操作がなされたときに、前記第１運転モードからメンテナンスモードに切り替えるモード切替部と、
前記メンテナンスモードにおいて、少なくとも故障情報を含むメンテナンス用データを出力するメンテナンス出力部と
を備えたことを特徴とする。
【００１０】
かかる本発明によれば、前記洗浄槽が前記筐体から引き出されているにも拘わらず、前記位置検出部の故障により前記洗浄槽セット状態であると誤検出されているときに、メンテナンス作業者等は、前記操作部に対して前記第１モード切替操作を行うことによって、前記第１運転モードから前記メンテナンスモードに切り替えることができる。そして、前記メンテナンスモードにおいて、メンテナンス作業者等は、前記メンテナンス出力部から出力される前記メンテナンス用のデータを確認することで、食器洗浄機の故障情報を認識することができる。そのため、前記位置検出部の故障が生じた場合であっても、メンテナンス作業者等は故障情報に基づいて、迅速な故障対応を行うことができる。
【００１１】
なお、前記洗浄運転には、前記洗浄槽に収容された食器を洗浄する食器洗浄運転と、前記洗浄槽自体を洗浄する槽内洗浄運転とが含まれる。
【００１２】
また、前記運転制御部は、前記第１運転モードにおいて、前記操作部に対して前記洗浄運転の開始を指示する操作がなされた後に、前記位置検出部により前記洗浄槽セット状態が検出されていない状態から、前記位置検出部により前記洗浄槽セット状態が検出された状態に切り替わったことを条件として、前記洗浄運転を開始することを特徴とする。
【００１３】
この構成によれば、前記位置検出部より前記洗浄槽セット状態が検出されていない状態から、前記位置検出部により前記洗浄槽セット状態が検出された状態に切り替わり、前記位置検出部が正常に動作している場合に、前洗浄運転が開始される。そのため、実際には前記洗浄槽が前記筐体から引き出されているが、前記位置検知部の故障により前記洗浄槽セット状態が誤検出された状態で、前記洗浄運転が開始されることを防止することができる。
【００１４】
また、使用者が前記洗浄槽を前記筐体から引き出すとき及び前記洗浄槽を前記筐体内に収納するときに、使用者により把持される把持部と、
前記把持部が把持されていることを検出する把持状態検出部と
を備え、
前記運転制御部は、前記第１運転モードにおいて、前記位置検出部により前記洗浄槽セット状態が検出されていない状態から、前記位置検出部により前記洗浄槽セット状態が検出された状態に切り替わり、且つ、前記把持部が把持されていることが前記把持状態検出部により検出されない状態であることを条件として、前記洗浄運転を開始することを特徴とする。
【００１５】
この構成によれば、前記位置検出部により前記洗浄槽セット状態が検出されていない状態から、前記位置検出部により前記洗浄槽セット状態が検出された状態に切り替わり、且つ、前記把持部が把持されていることが前記把持状態検出部により検出されない状態であるときに限定して、前記洗浄運転が開始される。この場合、位置検出部の検出状態が切り替わることで位置検出部が正常に動作していると判断できるときに限定して、前記把持部を把持して前記洗浄槽を前記筐体内の前記洗浄位置まで押し込んだ使用者が、前記把持部から手を離して洗浄槽の収納を終了した時に、前記制御部により前記洗浄運転を開始させることができる。
【００１６】
また、前記モード切替部は、前記操作部に対して所定の第２モード切替操作がなされたときに、第２運転モードに切り替え、
前記運転制御部は、前記第２運転モードにおいて、前記操作部に対して前記洗浄運転の開始を指示する操作がなされた後に、前記位置検出部により前記洗浄槽セット状態が検出されていない状態から、前記位置検出部により前記洗浄槽セット状態に切り替わったこと、又は、前記操作部に対して前記洗浄運転の開始を指示する操作がなされた後に、前記把持部が把持されていることが前記把持状態検出部により検出された状態から、前記把持部が把持されていることが前記把持状態検出部により検出されない状態に切り替わったことを条件として、前記洗浄運転を開始することを特徴とする。
【００１７】
この構成によれば、前記位置検出部又は前記把持状態検出部のいずれか一方が故障して、前記洗浄セット状態又は前記把持部が把持されていることを検出することができなくなった場合に、メンテナンス作業者等は、前記第２運転モードに切り替えることによって、前記洗浄運転を開始させて前記食器洗浄機の動作確認を行うことができる。
【図面の簡単な説明】
【００１８】
【図１】本実施形態の食器洗浄機の構成を断面により示した説明図。
【図２】図１に示した食器洗浄機の使用態様の説明図。
【図３】図１に示した食器洗浄機の制御ブロック図。
【図４】図１に示した操作パネルの構成図。
【図５】モード切替処理と洗浄運転の開始判断のフローチャート。
【発明を実施するための形態】
【００１９】
本発明の食器洗浄機の実施形態について、図１〜図５を参照して説明する。
【００２０】
図１を参照して、本実施形態の食器洗浄機１は、システムキッチン等の天板（カウンタートップ）ＣＴの下部に備え付けられた前面引き出し式の食器洗浄機であり、筐体４０の開口Ｍを介して洗浄槽２０が水平方向にスライドして出し入れされる。
【００２１】
筐体４０内には、洗浄槽２０に水を供給するための給水管４１、給水管４１を開閉して洗浄槽２０への水の供給と停止を切り替える給水電磁弁４４、洗浄槽２０内の水を排水するための排水管４２、洗浄槽２０が筐体４０の最奥部付近の洗浄位置に収納された洗浄槽セット状態を検出する位置センサ４５（本発明の位置検出部に相当する）、及び洗浄槽２０からの漏水等を検出する電極センサ４６が備えられている。
【００２２】
洗浄槽２０には、Ｗ等の食器を収容した食器かご２１がセットされ、食器に向けて水を噴射する洗浄ノズル２２、洗浄槽２０に貯められた水を加熱するヒータ２３、洗浄槽２０の温度を検出する温度センサ２４、ポンプ２６、及び乾燥ファン２８が備えられている。
【００２３】
ポンプ２６は、正転作動時は洗浄槽２０内の水を洗浄ノズル２２から噴射して循環させ、逆転作動時には洗浄槽２０内の水を残菜フィルタ２５及び排水管４２を介して排出する。乾燥ファン２８は、ヒータ２３を作動させた状態で回転作動することにより、温風を洗浄槽２０内に送出して食器を乾燥させる。乾燥ファン２８により洗浄槽２０内に送出された温風は、洗浄槽２０の前面上方の通気口ｅから排気される。
【００２４】
洗浄槽２０の貯水部と連通管２７により接続された水位検出槽３０には、洗浄槽２０に所定水位の水が貯められていることを検出するフロート式の水位センサ３１が設けられている。
【００２５】
洗浄槽２０の前端の上面には、使用者により操作される操作部５０が配置されている。操作部５０の詳細については後述する。さらに、洗浄槽２０には、食器洗浄機１の全体的な作動を制御するコントローラ１０が備えられ、洗浄槽２０の前面には、洗浄槽２０を出し入れする際に使用者により把持される取手部６０（本発明の把持部に相当する）が設けられている。
【００２６】
取手部６０には、筐体４０の爪部６３と係合して、洗浄槽２０を筐体４０の洗浄位置に固定するロックレバー６１と、ロックレバー６１と、ロックレバー６１がロック位置（筐体４０の爪部６３と係合する位置）にあることを検出するロックセンサ６２（本発明の把持状態検出部に相当する）が備えられている。
【００２７】
使用者が取手部６０を握ると、ロックレバー６１が上方向に回転して爪部との係合が外れ、洗浄槽２０の出し入れが可能なアンロック状態となる。ロックレバー６１はロック方向に付勢されており、使用者が取手部６０から手を放すと、ロックレバー６１がロック位置に復帰する。
【００２８】
このように構成されていることにより、使用者が取手部６０を握って（アンロック状態、把持状態）洗浄槽２０を筐体４０内の洗浄位置まで押し込み、取手部６０から手を放すことにより、洗浄槽２０が洗浄位置に固定された状態となる（洗浄槽セット状態、ロック状態）。このロック状態で、洗浄運転が実行される。
【００２９】
この場合、使用者が取手部６０を握っているときはロックセンサ６２がＯＦＦ状態（本発明の把持部が把持されていることが検出された状態に相当する）になり、使用者が取手部６０から手を離すとロックセンサ６２がＯＮ状態（本発明の把持部が把持されていることが検出されない状態に相当する）になる。
【００３０】
なお、使用者が、取手部６０を握らずに、洗浄槽２０と一体になっている扉前面を手で押し込むことによって、洗浄槽２０を筐体４０内の洗浄位置に収納することもでき、この場合にも、位置センサ４５とロックセンサ６２が共にＯＮ状態（洗浄槽セット状態、ロック状態）になる。
【００３１】
次に、図２（ａ）に示したように、洗浄槽２０が筐体４０内の洗浄位置に収納されてロック状態にあるときは、位置センサ４５がＯＮ（検出状態）になると共に、ロックセンサ６２もＯＮになる。それに対して、図２（ｂ）に示したように、洗浄槽２０が筐体４０から引き出されているときには、位置センサ４５がＯＦＦ（非検出状態）になり、ロックセンサ６２は、使用者による取手部６０の把持状態に応じてＯＮ（取手部６０が把持されていないとき）とＯＦＦ（取手部６０が把持されているとき）が切り替わる。
【００３２】
また、操作部５０は洗浄槽２０の前部の天面に設けられているため、図２（ａ）に示した洗浄槽２０が筐体４０に収納された状態では、操作部５０がシステムキッチンの天板ＣＴによって隠蔽される。そのため、使用者は操作部５０の操作及び視認をすることができない。
【００３３】
そこで、食器洗浄機１においては、図２（ｂ）に示した洗浄槽２０が筐体４０から引き出された状態で、使用者が、操作部５０を操作して洗浄運転の開始を指示した後に、洗浄槽２０を筐体４０に押し込むことにより、洗浄運転が開始される仕様となっている。
【００３４】
なお、本実施形態においては、洗浄槽２０に収容された食器の洗浄と乾燥を行う運転（食器洗浄運転）と、洗浄槽２０に収容された食器の乾燥のみを行う運転（食器乾燥運転）と、洗浄槽２０及び食器かご２１の洗浄を行う運転（槽内洗浄運転）とを、洗浄運転と総称する。
【００３５】
また、洗浄運転の実行中に、使用者が取手部６０を握ってロックセンサ６２がＯＦＦになったときに、コントローラ１０は洗浄運転を一時停止する。そして、この一時停止状態において、使用者が洗浄槽２０を引き出して位置センサ４５がＯＦＦになり、その後、使用者が洗浄槽２０を筐体４０内の洗浄位置まで押し込んで位置センサ４５がＯＮになってから、取手部６０から手を離してロックセンサ６２がＯＮになったときに、コントローラ１０は洗浄運転を再開する。
【００３６】
次に、図３を参照して、コントローラ１０は、図示しないＣＰＵ、メモリ、インターフェース回路等により構成された電子回路ユニットであり、メモリに保持された食器洗浄機１の制御用プログラムをＣＰＵで実行することにより、一連の洗浄運転の処理を実行する運転制御部１１と、運転モード（本発明の第１運転モードに相当する）とメンテナンスモード（本発明のメンテナンスモード及び第２運転モードに相当する）の切替えを行うモード切替部１２と、メンテナンスモードにおいてメンテナンス用データを出力するメンテナンス出力部１３として機能する。
【００３７】
ここで、運転モードは、使用者等が操作部５０の操作に応じて洗浄運転を実行するモードであり、メンテナンスモードは、メンテナンス作業者等が食器洗浄機の状態を確認するためのモードである。
【００３８】
コントローラ１０には、温度センサ２４、水位センサ３１、位置センサ４５、及び電極センサ４６の各検出信号が入力される。また、コントローラ１０から駆動回路７０を介して出力される制御信号により、ヒータ２３、ポンプ２６、給水電磁弁４４、及び乾燥ファン２８の作動が制御される。
【００３９】
さらに、コントローラ１０には、操作部５０のスイッチ５１，５３，５４の操作信号が入力される。また、コントローラ１０から操作部５０に出力される制御信号により、コースＬＥＤ５３ａ〜５３ｅ、予約ＬＥＤ５４ａ、ブザー５５、及び７セグＬＥＤ５６の作動が制御される。
【００４０】
操作部５０には、図４に示したように、洗浄運転の開始と一時停止を指示するためのスタートスイッチ５１、洗浄運転のコース（運転工程）を選択するためのコース選択部５２、予約運転を指示するための予約スイッチ５４、及び予約運転が設定されていることを示すための予約ＬＥＤ５４ａが設けられている。
【００４１】
なお、スタートスイッチ５１の操作による洗浄運転の開始指示は、本発明の洗浄運転の開始を指示する操作に相当する。
【００４２】
コース選択部５２は、洗浄運転のコースの切り替えを指示するためのコース選択スイッチ５３と、選択中のコースを示すコースＬＥＤ５３ａ〜５３ｅとを備えている。使用者がコース選択スイッチ５３を操作する度に、選択される洗浄運転のコースが、「標準コース」→「標準＋乾燥２時間コース」→「標準＋ソフト排気コース」→「標準＋ソフト排気＋乾燥２時間コース」→「念入りコース」→「念入り＋乾燥２時間コース」→「念入り＋ソフト排気コース」→「念入り＋ソフト排気＋乾燥２時間コース」→「乾燥コース」→「槽内洗浄コース」→「標準コース」→ … と順次切り替えられる。
【００４３】
「槽内洗浄コース」は、洗浄槽２０や食器かご２１に付着した石灰質成分等を除去するために、食器用洗剤とは異なる槽内洗浄剤（例えばクエン酸を主成分とする洗剤）を用いて、洗浄槽２０内を洗浄するコースである。「槽内洗浄コース」以外のコースは、洗浄槽２０に収容された食器を洗浄又は乾燥するコースである。
【００４４】
ここで、「標準コース」は、「洗浄工程」→「水すすぎ工程」→「加熱すすぎ工程」→「乾燥工程」を実行する基本的なコースである。「標準＋乾燥２時間コース」は、「標準コース」において、乾燥工程の時間を２時間に変更したコースである。
【００４５】
「標準＋ソフト排気コース」は、「標準コース」において、乾燥工程で通気口ｅから排気される温風の温度を４０℃に抑えるコースである。「標準＋ソフト排気＋乾燥２時間コース」は、「標準コース」において、乾燥工程の時間を２時間に変更すると共に乾燥工程で通気口ｅから排気される温風の温度を４０℃に抑えるコースである。
【００４６】
また、「念入りコース」、「念入り＋乾燥２時間コース」、「念入り＋ソフト排気コース」、及び「念入り＋ソフト排気＋乾燥２時間コース」は、「標準コース」、「標準＋乾燥２時間コース」、「標準＋ソフト換気コース」、及び「標準＋ソフト換気＋乾燥２時間コース」において、それぞれ加熱すすぎ工程におけるすすぎ水の加熱温度を８０℃に設定するコースである。「乾燥コース」は、乾燥工程のみを実行するコースである。
【００４７】
「槽内洗浄コース」は、洗浄工程において洗浄水を「標準コース」よりも高温に加温すること及び貯水量を増加させること以外は、「標準コース」と同様である。
【００４８】
コントローラ１０は、選択されているコースに応じて、コースＬＥＤ５３ａ〜５３ｅ（標準ＬＥＤ５３ａ、念入りＬＥＤ５３ｂ、乾燥ＬＥＤ５３ｃ、槽内洗浄５３ｄ、ソフト排気ＬＥＤ５３ｅ）の点灯と消灯を切り替える。
【００４９】
例えば、「標準コース」が選択されているときには、コントローラ１０は標準ＬＥＤ５３ａのみを点灯して他のＬＥＤ５３ｂ〜５３ｅを消灯する。また、「標準＋乾燥２時間コース」が選択されているときは、コントローラ１０は、標準ＬＥＤ５３ａ及び乾燥ＬＥＤ５４ｃを点灯して、他のＬＥＤ５３ｂ，５３ｄ，５３ｅを消灯する。
【００５０】
コントローラ１０は、食器洗浄機１の設置時等に電源接続部（図示しない）が商用電源に接続されて、電源スイッチ（図示しない）がＯＮ状態とされたときに作動を開始する。コントローラ１０は、洗浄槽２０が筐体４０から引き出されて、位置センサ４５がＯＦＦ（洗浄セット状態が検出されない状態）になったときに、洗浄運転の初期選択コースである「標準コース」を選択して標準ＬＥＤ５３ａを点灯する。
【００５１】
コントローラ１０は、洗浄槽２０が引き出されて、ＬＥＤ５３ａ〜５３ｅ，５４ａのいずれが点灯しているときに、使用者によりスタートスイッチ５１が長押し操作されたときには、全てのＬＥＤ５３ａ〜５３ｅ，５４ａを消灯する。このように、全てのＬＥＤ５３ａ〜５３ｅ，５４ａが消灯した状態であるときに、使用者がスイッチ５１，５３，５４のいずれか操作すると、コントローラ１０は、操作に応じてＬＥＤ５３ａ〜５３ｅ，５４ａのいずれかを点灯する。
【００５２】
また、コントローラ１０は、センサ類（温度センサ２４、水位センサ３１、位置センサ４５、電極センサ４６、ロックセンサ６２）の故障情報、洗浄運転の実行中に生じたエラー（漏水エラー等）の履歴、運転時間（ポンプ２６の累積作動時間等）、洗浄運転の実行回数等を示すメンテナンス用データを、ＥＥＰＲＯＭ（図示しない）に保持している。
【００５３】
そして、メンテナンス出力部１３は、メンテナンスモードにおいて、メンテナンス用データの内容を示すコードを、コース選択スイッチ５３の操作に応じて、７セグＬＥＤ５６に順次切り替えて表示する。また、メンテナンス出力部１３は、図３に示したように、コントローラ１０にパソコン８０等の通信端末が接続されたときには、パソコン８０にメンテナンス用データを送信して、パソコン８０の画面にメンテナンス用データの内容を表示させる。
【００５４】
次に、図５に示したフローチャートに従って、運転制御部１１、モード切替部１２、及びメンテナンス出力部１３により実行されるモード切替処理、メンテナンス対応処理、及び洗浄運転の開始処理について説明する。
【００５５】
コントローラ１０が作動を開始すると、モード切替部１２は、ＳＴＥＰ１で、初期設定として運転モードに設定する。続くＳＴＥＰ２で、モード切替部１２は、スタートスイッチ５１とコース選択スイッチ５３を同時に長押し（例えば２秒以上）操作することによるモード切替操作（本発明の第１モード切替操作に相当する）がなされたか否かを判断する。
【００５６】
そして、ＳＴＥＰ２でモード切替操作がなされたときはＳＴＥＰ３に進み、モード切替操作がなされていないときにはＳＴＥＰ１０に分岐する。ここで、モード切替部１２は、モード切替操作がなされる毎に、初期モードである運転モードとメンテナンスモードとを切替える。
【００５７】
ＳＴＥＰ１０〜ＳＴＥＰ１２は、運転制御部１１による処理である。ＳＴＥＰ１０でスタートスイッチ５１がＯＮしたときにＳＴＥＰ１１に進み、その後、ＳＴＥＰ１１で位置センサ４５がＯＦＦからＯＮに切り替わり（洗浄槽２０が、筐体４０から引き出された状態から筐体４０内の洗浄位置まで押し込まれた状況）、且つロックセンサ６２がＯＮしたときにＳＴＥＰ１２に進んで、運転制御部１１は洗浄運転を開始する。
【００５８】
このように、運転モードにおいて、運転制御部１１は、ＳＴＥＰ１１で、位置センサ４５がＯＦＦからＯＮに切り替わることで位置センサ４５が正常に動作していることが確認できたときに、洗浄運転を実行することによって、位置センサ４５が故障した状態で洗浄運転が開始されることを防止している。
【００５９】
また、位置センサ４５がＯＮになっていることに加えて、ロックセンサ６２もＯＮになっていることを洗浄運転の開始条件とすることにより、取手部６０を握って洗浄槽２０を筐体４０内の洗浄位置まで押し込んだ使用者が、取手部６０から手を離して洗浄槽２０の収納操作を終了したことを確認してから、洗浄運転を開始させることができる。
【００６０】
一方、ＳＴＥＰ２でモード切替操作がなされてＳＴＥＰ３に進んだときには、モード切替部１２は運転モードからメンテナンスモードに切り替える。ここで、モード切替部１２は、位置センサ４５がＯＦＦしているか否かに拘わらず（位置センサ４５がＯＦＦしていることを条件とせずに）、ＳＴＥＰ２でモード切替操作の有無を判断する。そのため、位置センサ４５の異常（故障等）により、洗浄槽２０を筐体４０から引き出したにも拘わらず、位置センサ４５がＯＮ状態に維持される場合（洗浄槽セット状態が誤検出された状態）であっても、メンテナンス作業者等は、操作部５０を操作してメンテナンスモードに切り替えることができる。
【００６１】
メンテナンスモードに切り替えられたことにより、メンテナンス作業者等は、７セグＬＥＤ５６に表示されるコード、或はパソコン８０の画面に表示されるメンテナンス用データの内容を確認することによって、故障要因を特定して、故障の修理等の対応を速やかに行うことができる。
【００６２】
また、メンテナンスモードにおいて、運転制御部１１は、ＳＴＥＰ５で、位置センサ４５がＯＦＦからＯＮに切り替わったこと、又はロックセンサ６２がＯＦＦからＯＮに切り替わったことを条件として、洗浄運転を開始している。
【００６３】
そのため、位置センサ４５又はロックセンサ６２の故障により、運転モードでは洗浄運転を開始することができない状況になっているときに、メンテナンス作業者等は、メンテナンスモードに切り替えて、取手部６０を握って洗浄槽２０を筐体４０内の洗浄位置まで押し込み、取手部６０から手を離すことにより、洗浄運転を開始させて食器洗浄機１の作動状態を確認することができる。
【００６４】
なお、本実施形態では、図５のＳＴＥＰ１１で、位置センサ４５がＯＦＦからＯＮに切り替わったか否かを判断して洗浄運転を開始するようにしたが、この判断を行わない場合にも本発明の効果を得ることができる。
【００６５】
また、本実施形態では、ロックレバー６１と筐体４０の爪部６３から成るロック機構と、ロックセンサ６２とを備えた食器洗浄機１を示して、図５のＳＴＥＰ５とＳＴＥＰ１１で、洗浄運転の開始条件としてロックセンサ６２のＯＮを判断したが、ロック機構及びロックセンサ６２を備えない場合にも本発明の効果を得ることができる。
【００６６】
また、本実施形態では、図５のＳＴＥＰ２で、本発明の第１モード切替操作及び第２モード切替操作として、操作部５０のスタートスイッチ５１とコース選択スイッチ５３の同時長押し操作を例示したが、本発明の第１モード切替操作及び第２モード切替操作として、操作部５０に対する他の操作態様を採用してもよい。
【００６７】
また、本実施形態では、図５のＳＴＥＰ４で、メンテナンスモードにおいてスタートスイッチ５１が操作されたときに、ＳＴＥＰ５でロックセンサ６２がＯＦＦからＯＮに切り替わったことを条件として、ＳＴＥＰ６で洗浄運転を開始するようにしたが、操作部５０のモード切替操作（本発明の第２モード切替操作に相当する）により、メンテナンスモードとは別のモード（本発明の第２運転モードに相当する）に切り替えて、ＳＴＥＰ４〜ＳＴＥＰ６の処理を行うようにしてもよい。
【００６８】
また、本実施形態では、メンテナンスモードにおいて、図５のＳＴＥＰ５，ＳＴＥＰ６の処理により、位置センサ４５がＯＦＦからＯＮに切り替わったとき、又はロックセンサ６２がＯＦＦからＯＮに切り替わったときに、洗浄運転を開始するようにしたが、ＳＴＥＰ５，ＳＴＥＰ６の処理を行わない場合にも、本発明の効果を得ることができる。
【符号の説明】
【００６９】
１…食器洗浄機、１０…コントローラ、１１…運転制御部、１２…モード切替部、１３…メンテナンス出力部、２０…洗浄槽、４０…筐体、４５…位置センサ（位置検出部）、５０…操作部、５１…スタートスイッチ、６０…取手部（把持部）、６１…ロックレバー、６２…ロックセンサ（把持状態検出部）、６３…爪部。
【図１】
2016123508.tif 000003
【図２】
2016123508.tif 000004
【図３】
2016123508.tif 000005
【図４】
2016123508.tif 000006
【図５】
2016123508.tif 000007